(57)【要約】  拡開部をアンカー穴の拡径部に確実且つ適切に喰い込ませることができる後施工アンカー等を提供する。  下穴部３の所定の深さ位置に拡径部４を形成したアンカー穴１にアンカリングされる内部コーン打込み式の後施工アンカー１０であって、アンカー穴１に挿入される円筒状の筒状本体１１と、筒状本体１１の先端側に連なり筒状本体１１と一体に形成された拡開部１２と、拡開部１２を内側から拡開させるコーン部１３と、拡開部１２の先端部に設けられ、拡開部１２の拡開を許容すると共に、拡開部１２が拡径部４に対峙するように拡開部１２の下穴部３の穴底３ｃからの距離を規制する位置規制部１４と、を備えたものである。
2016092675.tif 000002
【特許請求の範囲】
【請求項１】
下穴の所定の深さ位置に拡径部を形成したアンカー穴にアンカリングされる内部コーン打込み式の後施工アンカーであって、
前記アンカー穴に挿入される円筒状の筒状本体と、
前記筒状本体の先端側に連なる拡開部と、
前記拡開部を内側から拡開させるコーン部と、
前記拡開部の先端部に設けられ、前記拡開部の拡開を許容すると共に、前記拡開部が前記拡径部に対峙するように前記拡開部の前記下穴の穴底からの距離を規制する位置規制部と、を備えたことを特徴とする後施工アンカー。
【請求項２】
前記位置規制部は、軸方向において前記拡開部の先端部が前記拡径部内に納まるように、前記拡開部の前記下穴の穴底からの距離を規制することを特徴とする請求項１に記載の後施工アンカー。
【請求項３】
前記位置規制部の先端部は、尖塔形状に形成されていることを特徴とする請求項１または２に記載の後施工アンカー。
【請求項４】
前記位置規制部の基端部は、前記拡開部の先端部に装着される装着部と、
前記拡開部の先端が当接する当接部と、を有することを特徴とする請求項１ないし３のいずれかに記載の後施工アンカー。
【請求項５】
前記装着部は、前記拡開部の先端部の内周面に嵌合する嵌合凸部を有し、
前記当接部は、前記嵌合凸部の外側に配設された環状当接部を有することを特徴とする請求項４に記載の後施工アンカー。
【請求項６】
前記位置規制部は、打ち込まれた前記コーン部の先端部を受容するコーン受容部を有することを特徴とする請求項１ないし５のいずれかに記載の後施工アンカー。
【請求項７】
前記拡開部は、軸方向に間隙を存して形成された複数の環状溝を有することを特徴とする請求項１ないし６のいずれかに記載の後施工アンカー。
【請求項８】
請求項１ないし７のいずれかに記載の後施工アンカーの施工方法であって、
前記下穴を穿孔する穿孔工程と、
前記下穴に拡径部を形成する拡径工程と、
前記後施工アンカーを、前記アンカー穴に挿入する挿入工程と、
前記コーン部を打ち込んで、前記拡開部を拡開させるアンカリング工程と、を備えたことを特徴とする後施工アンカーの施工方法。
【請求項９】
前記拡径工程と前記挿入工程との間に、前記アンカー穴に接着剤を注入する注入工程を、更に備えたことを特徴とする請求項８に記載の後施工アンカーの施工方法。
【請求項１０】
請求項１ないし７のいずれかに記載の後施工アンカーと、
先端部において、前記下穴に前記拡径部を研削する切刃部を有する拡径用ドリルビットと、を備え、
軸方向において、前記位置規制部の先端と前記拡開部の先端との間の距離に対し、前記拡径用ドリルビットの先端と前記切刃部の先端との間の距離が長いことを特徴とする後施工アンカーシステム。
【請求項１１】
前記拡径用ドリルビットの先端部は、尖塔形状に形成され、
前記後施工アンカーの先端部は、尖塔形状に形成されていることを特徴とする請求項１０に記載の後施工アンカーシステム。
【発明の詳細な説明】
【技術分野】
【０００１】
本発明は、コンクリート等の躯体に穿孔したアンカー穴にアンカリングされる後施工アンカー、後施工アンカーの施工方法および後施工アンカーシステムに関するものである。
【背景技術】
【０００２】
従来、この種の後施工アンカーとして、内奥に拡径部を削成した孔（アンカー穴）に打ち込まれるアンカーボルトが知られている（特許文献１参照）。
このアンカーボルトは、先端部に張出顎を連設したボルト身と、先端部に展開スリーブが連設され、ボルト身が嵌挿された押圧用筒と、を備えている。展開スリーブは、縦割り状に分離した複数の展開片を円筒状に組み、この複数の展開片をスプリング等の結束条で結束して、構成されている。また、ボルト身に連設した張出顎は、展開スリーブを押し開くように展開させるテーパー面を有している。
孔（アンカー穴）にアンカーボルトを挿入し、外部から押圧用筒を打ち込むと、押圧用筒を介して展開スリーブが前進する。前進する展開スリーブは、張出顎のテーパー面に載り上げ展開するように押し開かれる。これにより、展開スリーブが拡径部に納まり、拡径部を介してボルト身が孔に定着される。
【先行技術文献】
【特許文献】
【０００３】
【特許文献１】特許第２５４４０２１号公報
【発明の概要】
【発明が解決しようとする課題】
【０００４】
ところで、後施工アンカーでは、理論上、打ち込みにより下穴内で拡開部（拡張部）が拡開し、そのクサビ効果により高い引抜き強度を得るとされている。しかし、実際の施工には、コンクリートの強度が勝って、拡開部が下孔に圧接されることはあっても、コンクリートに喰い込んで拡開することはない。したがって、理論上のクサビ効果を得るためには、下穴に何らかの拡径部を形成し、これに拡開部を喰い込ませる必要がある。
上記従来のアンカーボルトは、いわゆる本体打込み式の後施工アンカーであるため、ボルト身に対し押圧用筒を打ち込むことにより、展開スリーブがテーパー面に載り上げて展開（拡開）する。このため、前進しながら拡開する展開スリーブの移動軌跡と、拡径部の位置および形状が精度良くマッチングしていないと、展開スリーブを拡径部に納まるように打ち込むことができない問題があった。
もっとも、内部コーン打込み式の後施工アンカーでは、打ち込んだコーンにより、その拡開部が前進することなく拡開するため、上記のような高い精度は要求されない。しかし、この場合には、後施工アンカー（アンカー本体）の先端がアンカー穴の穴底に突き当てられるため、拡開部の位置と拡径部の位置とが合致せず、或いは拡開部の先端が穴底の形状により開き難くなる問題があった。すなわち、アンカー穴の穴底は円錐状を為しており、打ち込まれる拡開部の先端は、穴底から斜め内側に向く分力（反力）を受ける。このため、拡径部を穴底に接して形成できたとしても、拡開部の拡開が抑制され（コーンが打ち込めなくなる）、拡開部が拡径部に喰い込み難くなる問題があった（施工不良）。【０００５】
本発明は、拡開部をアンカー穴の拡径部に確実且つ適切に喰い込ませることができる後施工アンカー、後施工アンカーの施工方法および後施工アンカーシステムを提供することを課題としている。
【課題を解決するための手段】
【０００６】
本発明の後施工アンカーは、下穴の所定の深さ位置に拡径部を形成したアンカー穴にアンカリングされる内部コーン打込み式の後施工アンカーであって、アンカー穴に挿入される円筒状の筒状本体と、筒状本体の先端側に連なる拡開部と、拡開部を内側から拡開させるコーン部と、拡開部の先端部に設けられ、拡開部の拡開を許容すると共に、拡開部が拡径部に対峙するように拡開部の下穴の穴底からの距離を規制する位置規制部と、を備えたことを特徴とする。【０００７】
この構成によれば、後施工アンカーを下穴に挿入すると、位置規制部が下穴の穴底に当接し、拡開部が拡径部に対峙する。この状態で、コーン部を打ち込むと、拡開部が前進することなく拡開し拡径部の内周面に圧接される。すなわち拡径部の穴底からの距離が予め定まっていれば、位置規制部により、拡開部を拡径部に精度良く対峙させ、且つ拡開させることができる。したがって、穴底を受けとしてコーン部を打ち込む形式（内部コーン打込み式）の後施工アンカーであっても、拡開部を拡径部の位置で確実且つ適切に拡開させる（喰い込ませる）ことができる。このことはまた、コーン部の打込みが円滑かつ確実に行われることを意味し、施工不良を防止することができる。これにより、施工アンカーの引抜き強度（経時的な引抜き強度を含む）を格段に高めることができる。なお、筒状本体と拡開部とは、一体に形成されていることが好ましい。【０００８】
この場合、位置規制部は、軸方向において拡開部の先端部が拡径部内に納まるように、拡開部の下穴の穴底からの距離を規制することが好ましい。【０００９】
この構成によれば、拡径部や拡開部の位置に、製造上の誤差や施工上の誤差が生じても、拡開部の先端部を拡径部の位置で確実且つ適切に拡開させることができる。【００１０】
また、位置規制部の先端部は、尖塔形状に形成されていることが好ましい。【００１１】
この構成によれば、アンカー穴の穴底中央に、位置規制部の先端部を突き当てることができ、位置規制部を穴底に対し精度良く位置決めすることができる。これにより、軸方向において、拡開部を拡径部に精度良く対峙させることができ、且つこの状態で拡開部を拡開させることができる。【００１２】
さらに、位置規制部の基端部は、拡開部の先端部に装着される装着部と、拡開部の先端が当接する当接部と、を有することが好ましい。【００１３】
この場合、装着部は、拡開部の先端部の内周面に嵌合する嵌合凸部を有し、当接部は、嵌合凸部の外側に配設された環状当接部を有することが好ましい。【００１４】
これらの構成によれば、装着部を介して、位置規制部を拡開部の先端に装着しておくことができる。また、当接部により、拡開部の拡開を許容しつつ、アンカー穴の穴底からの打込み反力を拡開部に伝達することができ、拡開部を円滑に拡開させることができる。なお、位置規制部は、その装着部の部分で接着により拡開部に装着するようにしてもよいし、拡開部を僅かに押し広げるように嵌合装着するようにしてもよい。【００１５】
また、位置規制部は、打ち込まれたコーン部の先端部を受容するコーン受容部を有することが好ましい。【００１６】
この構成によれば、コーン受容部により、コーン部の適切な打ち込みが位置規制部により阻害されることがない。これにより、コーン部の打込みストロークを長くすることができる。【００１７】
一方、拡開部は、外周面に形成された複数の環状溝を有することが好ましい。【００１８】
この構成によれば、打ち込みに際し、拡開部はその複数の環状溝の部分が優先的に変形する。このため、拡開部を拡径部の形状に倣うように変形させることができ、拡開部を拡径部に確実に喰い込ませることができる。【００１９】
本発明の後施工アンカーの施工方法は、上記した後施工アンカーの施工方法であって、下穴を穿孔する穿孔工程と、下穴に拡径部を形成する拡径工程と、後施工アンカーを、アンカー穴に挿入する挿入工程と、コーン部を打ち込んで、拡開部を拡開させるアンカリング工程と、を備えたことを特徴とする。【００２０】
この構成によれば、後施工アンカーをアンカー穴に挿入した状態で、コーン部を打ち込むと、穴底に当接している位置規制部が受けとなって、コーン部のみかが前進する。一方、位置規制部により拡開部は拡径部に対峙しており、コーン部の前進により、拡開部は拡径部に向かって円滑に拡開する。これにより、拡開部は拡開して拡径部の内周面に圧接される。したがって、拡開部は拡径部に対し抜止め状態で係止され、後施工アンカーをアンカー穴に強固に固定（定着）することができる。【００２１】
この場合、拡径工程と挿入工程との間に、アンカー穴に接着剤を注入する注入工程を、更に備えることが好ましい。【００２２】
この構成によれば、後施工アンカーを、アンカー穴に対しメカニカルに定着させ得るだけでなく、接着剤によって定着させることができる。したがって、後施工アンカーをアンカー穴により強固に固定（定着）することができる。【００２３】
本発明の後施工アンカーシステムは、上記した後施工アンカーと、先端部において、下穴に拡径部を研削する切刃部を有する拡径用ドリルビットと、を備え、軸方向において、位置規制部の先端と拡開部の先端との間の距離に対し、拡径用ドリルビットの先端と切刃部の先端との間の距離が長いことを特徴とする。【００２４】
この構成によれば、下穴の穴底に突き当てた拡径用ドリルビットにより下穴に拡径部を形成することで、アンカー穴における拡径部と、アンカー穴にアンカリングされる後施工アンカーの拡開部と、を所望の位置関係に対峙させることができる。このため、アンカー穴にアンカリングされた後施工アンカーは、拡開部が拡径部にアンカリング（圧接）され、拡径部に対し抜止め状態（クサビ効果）となる。このため、振動等により緩みを生じても抜け落ちてしまうことがない。したがって、後施工アンカーをアンカー穴に強固に固定（定着）することができる。【００２５】
この場合、拡径用ドリルビットの先端部は、尖塔形状に形成され、後施工アンカーの先端部は、尖塔形状に形成されていることが好ましい。【００２６】
この構成によれば、拡径用ドリルビットおよび後施工アンカーは、それぞれの先端の一点でアンカー穴の穴底に接触する。このため、穴底の形状が区々であっても、すなわち下穴を穿孔するビットの種別に関わらず、拡径用ドリルビットの先端および後施工アンカーの先端を、穴底の同一点に接触（突き当てる）させることができる。したがって、拡径用ドリルビットにより形成された拡径部と、アンカー穴に挿入した後施工アンカーの拡開部と、を軸方向において精度良く対峙させることができる。
【図面の簡単な説明】
【００２７】
【図１】後施工アンカーが打ち込まれるアンカー穴の断面図である。
【図２】実施形態に係る後施工アンカーの打込み前の半部断面図（ａ）およびＡ−Ａ線断面図（ｂ）である。
【図３】実施形態に係る後施工アンカーの打込み後の半部断面図（ａ）およびＢ−Ｂ線断面図（ｂ）である。
【図４】実施形態に係る後施工アンカーの分解斜視図である。
【図５】位置規制部の構造図である。
【図６】変形例に係る位置規制部の構造図である。
【図７】実施形態に係る後施工アンカーの施工手順（ａ）、（ｂ）、（ｃ）を表した断面図である。
【図８】実施形態に係る後施工アンカーの施工手順（ｄ）、（ｅ）を表した断面図である。
【図９】拡径装置における拡径用ドリルビットの平面図である。
【発明を実施するための形態】
【００２８】
以下、添付の図面を参照して、本発明の一実施形態に係る後施工アンカー、後施工アンカーの施工方法および後施工アンカーシステムについて説明する。この後施工アンカーは、コンクリートの躯体や基礎等の定着体に対し、構造体を支持するために設けられる、いわゆる金属拡張アンカーである。特に、本実施形態の後施工アンカーは、特殊形状のアンカー穴と協働して定着体に強固に固定し得るものである。また、後施工アンカーシステムは、後施工アンカーと、この特殊形状のアンカー穴を形成するための拡径用ドリルビットと、をシステム化したものである。そこで、後施工アンカーの説明の前に、この特殊形状のアンカー穴について、簡単に説明する。
【００２９】
図１は、コンクリート製の定着体に形成されたアンカー穴を表している。同図に示すように、アンカー穴１は、定着体２（例えばコンクリート躯体やコンクリート基礎）に穿孔されたストレート形状の下穴部３（下穴）と、下穴部３の奥部（先端部）に、下穴部３よりも太径に形成された拡径部４とを有している。拡径部４は、２箇所の環状段部５を存して下穴部３から外側に張り出した円筒状の部分で構成されている。また、下穴部３は、拡径部４を挟んで開口部３ａ側の長い開口側穴部３ｂと、穴底３ｃ側の短い底側穴部３ｄと、を有している。
【００３０】
この場合、下穴部３は、後述する振動ドリル、ハンマードリル、コアドリル等の穿孔装置６１により穿孔される（図示のものは、振動ドリルで穿孔）。したがって、下穴部３の穴底３ｃは、円錐形状に窪入形成されている。また、拡径部４は、後述する拡径用ドリルビット７２を有する拡径装置６２により形成される。なお、拡径部４は、必ずしも円筒状でなくてもよく、例えばテーパーの筒形状等であってもよい。
【００３１】
図２および図３は、実施形態に係る後施工アンカーの半部断面図（ａ）および横断面図（ｂ）であり、図４は、後施工アンカーの分解斜視図である。これらの図に示すように、後施工アンカー１０は、いわゆる内部コーン打込み式のアンカーであり、アンカー穴１に挿入される円筒状の筒状本体１１と、筒状本体１１の先端に連なる拡開部１２と、拡開部１２を内側から拡開させるコーン部１３と、拡開部１２の先端部に装着した位置規制部１４と、を備えている。
【００３２】
筒状本体１１と拡開部１２とは、スチールやステンレス等で一体に形成されている。コーン部１３も、スチールやステンレス等で形成されている。また、位置規制部１４は、拡開部１２に対し別体に形成され、これもスチールやステンレス等で形成されている。
【００３３】
筒状本体１１は、後施工アンカー１０の本体を為す部位であり、アンカー穴１より僅かに細径の円筒状に形成されている。筒状本体１１の内周面には、雌ねじ部１６が形成されており。この雌ねじ部１６には、図示しないが、支持対象物のための吊りボルトや繋ぎボルト等の連結ボルト（一般的には、全ねじボルト）がねじ込まれる。そして、この雌ねじ部１６の径或いは連結ボルトの径が、後施工アンカー１０の呼び径となる。なお、アンカリングされた後施工アンカー１０のグラつき（ガタつき）を防止すべく、筒状本体１１の基端部外周面に、アンカー穴１の開口部３ａに食い込むように嵌合する嵌合部位を、設けるようにしてもよい（図示省略）。
【００３４】
拡開部１２は、アンカー穴１の拡径部４に対応する部位であり、筒状本体１１と同径に且つ一体に形成されている。拡開部１２の外周面には、軸方向に間隙を存して複数の環状溝２１が形成されている。各環状溝２１が形成された部位は、薄肉に形成されており、打ち込みに際し、他の部分に比して優先的に変形する。また、各環状溝２１は、変形時に応力集中が生じないように、断面半円形に形成されている。
【００３５】
また、拡開部１２には、その先端から切り込んだ複数のスリット２２が形成されている。この実施形態では、周方向に均等配置した６つのスリット２２が設けられており（図２（ｂ）参照）、各スリット２２は、拡開部１２の先端から筒状本体１１に達する位置まで、軸方向に延在している。言うまでもないが、この６つのスリット２２は、コーン部１３の打ち込みによる拡開部１２の拡開を促進する。なお、スリット２２の個数は、４つ以上であることが好ましい（いずれも、周方向に均等配置する）。
【００３６】
拡開部１２の内周面には、上記の雌ねじ部１６に連なるように先細りテーパー形状のコーン案内部２３が形成されており、このコーン案内部２３にコーン部１３が保持され（図２（ａ）参照）、且つコーン案内部２３に沿ってコーン部１３が打ち込まれる（図３（ａ）参照）。この場合、コーン案内部２３のテーパーと、コーン部１３のテーパーとは、同一の角度（テーパー角）に形成されている。
【００３７】
拡開部１２の先端部には、コーン案内部２３に連なるように嵌合凹部２４が形成されている。嵌合凹部２４は、拡開部１２の先端部内周面に形成された環状溝である。この嵌合凹部２４には、後述する位置規制部１４の嵌合凸部４３が嵌合し、且つ軸方向に当接する。これにより、拡開部１２に位置規制部１４が装着されるようになっている。
【００３８】
また、拡開部１２は、後施工アンカー１０をアンカー穴１に挿入したときに（穴底３ｃに達したときに）、拡径部４と対峙する位置に設けられている。この場合、アンカー穴１に挿入した後施工アンカー１０は、アンカー穴１の穴底３ｃに突き当てられ、この穴底３ｃを基準に軸方向の位置決めが為される。このため、拡開部１２は、その先端部に装着した位置規制部１４により、軸方向において拡径部４に位置決めされるようになっている。
【００３９】
より具体的には、拡開部１２の先端部が拡径部４に納まるように、すなわち拡開部１２の先端が、拡径部４の先端側の環状段部５より幾分基端側（１ｍｍ〜２ｍｍ）に位置するようになっている。これにより、少なくとも拡開部１２の先端部が、拡径部４内で確実に拡開する。一方で、拡径部４の穴底３ｃからの位置は、後述する拡径装置６２との関係で規定される（図７（ｂ）参照）。このため、位置規制部１４の軸方向の長さは、拡径装置６２との関係で設計されている（詳細は後述する）。
【００４０】
コーン部１３は、先端側のテーパー部３１と、基端側のストレート部３２とで一体に形成されている。ストレート部３２が外部から打ち込まれることにより、テーパー部３１が上記拡開部１２のコーン案内部２３内を前進する。これにより、拡開部１２は、そのスリット２２により分割された各部が、コーン部１３により押し開かれるように外方に拡開する。また、コーン部１３の打込み（前進）は、拡開部１２が拡径部４の内周面に圧接されることで規制され、打込み音等によりその打込み完了が体感される。そして、コーン部１３の打込みにより拡開部１２は、拡径部４の内周面に倣った形状に変形する（図３（ａ）参照）。
【００４１】
図２および図５に示すように、位置規制部１４は、拡開部１２の先端部に設けられ、拡開部１２が拡径部４に対峙するように、拡開部１２の下穴部３の穴底３ｃからの距離を規制している。位置規制部１４は、拡開部１２と同径の胴部４１と、胴部４１から先端側に延びる尖塔部４２と、胴部４１から基端側に延びる嵌合凸部４３（装着部）と、嵌合凸部４３の外側に配設され、胴部４１の基端側の端面を構成する環状当接部４４（当接部）と、を有している。また、位置規制部１４は、打ち込まれたコーン部１３の先端部を受容するコーン受容部４５を有している。
【００４２】
尖塔部４２は、尖塔形状、すなわち円錐形状に形成されている。尖塔部４２の錐角は、アンカー穴１の穴底３ｃの錐角より幾分小さく形成されており、尖塔部４２の先端が穴底３ｃの中心に当接するようになっている。上述のように、拡開部１２は、位置規制部１４により位置決めされるが、位置規制部１４の尖塔部４２が、位置決め基準となる穴底３ｃの中心（点接触）に突き当てられることにより、軸方向において拡開部１２が比較的精度良く位置決めされる。なお、尖塔部４２の錐角と穴底３ｃの錐角とが、同一であってもよい。
【００４３】
嵌合凸部４３は、環状に形成され、上記拡開部１２の嵌合凹部２４に嵌合装着される。この場合、位置規制部１４が拡開部１２から簡単に抜け落ちないように、接着剤等により嵌合凸部４３を嵌合凹部２４に接着（弱い接着）することが好ましい。或いは、拡開部１２を僅かに押し広げるように嵌合凹部２４に嵌合凸部４３を嵌合装着する。なお、嵌合凹部２４を雌ねじとし嵌合凸部４３を雄ねじとして、拡開部１２に位置規制部１４を装着するようにしてもよい。かかる場合には、拡開部１２の穴底３ｃからの位置を微調整することも可能になる。
【００４４】
環状当接部４４は、嵌合凸部４３の外側に位置する部位であり、拡開部１２の先端が当接する。また、環状当接部４４は、コーン部１３の打込みに際し、穴底３ｃからの反力を拡開部１２に伝達すると共に拡開部１２の外側への拡開（移動）を許容する。なお、実施形態の環状当接部４４は、胴部４１の端面として平坦（軸方向に直交）に形成されているが、僅かに外下がり傾斜面としてもよい。これにより、拡開部１２の外側への拡開が円滑に行われる。
【００４５】
コーン受容部４５は、打ち込まれたコーン部１３の先端部が臨む溝部位であり、嵌合凸部４３、胴部４１および尖塔部４２に亘って、位置規制部１４の中心部に窪入形成されている。このように、位置規制部１４にコーン受容部４５を形成することにより、深く打ち込んだコーン部１３の位置規制部１４への干渉が防止され、また位置規制部１４の軽量化を図ることができる。
【００４６】
図６は、位置規制部１４の変形例を表している。同図に示すように、変形例に係る位置規制部１４は、上記装着部としての嵌合凸部４３に代えて、６つの放射状凸部５１を有している。また、６つの放射状凸部５１を除く胴部４１の端面に、上記当接部である６箇所の放射状当接部５２が形成されている。６つの放射状凸部５１は、拡開部１２に形成され６つのスリット２２に嵌合装着され、６箇所の放射状当接部５２は、拡開部１２の先端に当接する。なお、放射状凸部５１は、必ずしもスリット２２の数と同数である必要はなく、１つ置き等複数（点対称）であればよい。
【００４７】
次に、図７および図８を参照して、後施工アンカー１０の施工方法（施工手順）について説明する。この施工方法は、穿孔装置６１を用いて下穴部３を穿孔する穿孔工程（図７（ａ））と、拡径装置６２を用いて下穴部３に拡径部４を形成する拡径工程（図７（ｂ））と、注入装置６３を用いてアンカー穴１に接着剤Ａを注入する注入工程（図７（ｃ））と、アンカー穴１に後施工アンカー１０を挿入装着する挿入工程（図８（ｄ））、挿入した後施工アンカー１０の拡開部１２を拡開させるアンカリング工程（図８（ｅ））と、を備えている。
【００４８】
穿孔装置６１は、コンクリート用ドリルビット７１を装着した振動ドリルやハンマードリルで構成されている。コンクリート用ドリルビット７１により穿孔した下穴部３は、その穴底３ｃが円錐形状となる。
【００４９】
拡径装置６２は、電動ドリル（図示省略）に拡径用ドリルビット７２を装着して構成されている。
図９に示すように、拡径用ドリルビット７２は、例えば一対の切刃部７３と、一対の切刃部７３を径方向に移動自在に保持する切刃保持部７４と、切刃保持部７４を支持するシャンク部７５と、を備えている。この拡径用ドリルビット７２では、回転に伴う遠心力により、一対の切刃部７３を径方向外方に拡開（移動）して、拡径部４を研削する（図７（ｂ）参照）。なお、切刃部７３は、ダイヤモンドの切刃や超鋼合金の切刃であることが好ましい。
【００５０】
一方、切刃保持部７４の先端部には、尖塔形状の円錐突部７４ａが形成されており、この円錐突部７４ａを下穴部３の穴底３ｃに突き当てて拡径部４を形成する。これにより、拡径用ドリルビット７２の回転ブレが抑制される。また、円錐突部７４ａは、上記の尖塔部４２と同様の錐角に形成されている。したがって、穴底３ｃの中心に突き当てられる尖塔部４２と同様に、円錐突部７４ａも穴底３ｃの中心に突き当てられる。すなわち、穴底３ｃに突き当てられる拡径用ドリルビット７２では、穴底３ｃ基準で拡径部４が形成され、穴底３ｃに突き当てられる後施工アンカー１０は、穴底３ｃ基準で拡開部１２が拡径部４に対峙する。
【００５１】
そして、この拡径用ドリルビット７２と本実施形態の後施工アンカー１０とは、後施工アンカーシステムを構成している。具体的には、軸方向において、位置規制部１４の先端（尖塔部４２の先端）と拡開部１２の先端との間の距離に対し、拡径用ドリルビット７２の先端（円錐突部７４ａの先端）と切刃部７３の先端との間の距離が長く（実施形態のものは、１ｍｍ〜２ｍｍ）形成されている。これにより、拡径用ドリルビット７２を穴底３ｃに突き当てるようにして、拡径部４を形成すると、アンカー穴１に挿入した拡開部１２の先端は、拡径部４の先端側の環状段部５より幾分基端側（１ｍｍ〜２ｍｍ）に位置することとなる。また、この状態で、コーン部１３が打ち込まれることとなる。
【００５２】
注入装置６３は、ポンプ部（図示省略）とノズル部７７とから成り、ポンプ部のポンピングにより、ポンプ部に貯留されている接着剤Ａが、ノズル部７７の先端から吐出しアンカー穴１に注入される（図７（ｃ）参照）。
【００５３】
図７（ａ）の穿孔工程では、振動ドリルのコンクリート用ドリルビット７１を回転させ、後施工アンカー１０の呼び径に対応する深さの下穴部３を穿孔する。この場合、下穴部３の径（直径）が、後施工アンカー１０の径（外径）より０．５ｍｍ前後の太い径となるコンクリート用ドリルビット７１を用いるものとする。なお、この穿孔作業と、コンクリートの研削粉を吸引する吸引作業（清掃）と、を同時並行で行うことが好ましい。
【００５４】
図７（ｂ）の拡径工程では、拡径用ドリルビット７２を、穴底３ｃに突き当てるように下穴部３に挿入し、電動ドリルにより拡径用ドリルビット７２を回転させて（１０秒程度）、拡径部４を研削する。これにより、穴底３ｃから所定の位置に拡径部４が形成される。なお、この場合も、穿孔作業と、コンクリートの研削粉を吸引する吸引作業（清掃）と、を同時並行で行うことが好ましい。また、一対の切刃部７３に、シャンク部７５（の軸芯部）を介して冷却液を供給するようにしてもよい。この場合には、切刃部７３の冷却とアンカー穴１の洗浄と、を同時に行うこととなる。
【００５５】
図７（ｃ）の注入工程では、ノズル部７７を穴底３ｃに突き当てるようにアンカー穴１に挿入し、接着剤Ａをアンカー穴１の最奥部から注入する。この場合、接着剤Ａは、例えばエポキシ樹脂系の接着剤Ａを用いる。また、接着剤Ａの注入量は、アンカー穴１（拡径部４を含む）の体積から後施工アンカー１０の体積を減算した量とする。これにより、アンカー穴１に後施工アンカー１０を挿入したときに、接着剤Ａがアンカー穴１からはみ出すのを防止することができる。
【００５６】
図８（ｄ）の挿入工程では、位置規制部１４付きの後施工アンカー１０を、穴底３ｃに突き当てるようにアンカー穴１内に挿入する。この挿入により、後施工アンカー１０の拡開部１２が、アンカー穴１の拡径部４に対峙した状態となる。
【００５７】
図８（ｅ）のアンカリング工程では、打込み棒７８を、コーン部１３に当接するように筒状本体１１に挿入し、ハンマー７９等により、打込み棒７８を介してコーン部１３を打ち込む。これにより、コーン部１３が拡開部１２に強く押し込まれ、拡開部１２が、拡径部４廻りの形状に倣って拡開する。これにより、拡開部１２は、拡径部４および開口側穴部３ｂの一部に圧接される。なお、コーン部１３は、筒状本体１１の雌ねじ部１６にねじ込んだ雄ねじ（ボルト等）により、打ち込む（前進させる）ことも可能である。
【００５８】
以上のように、本実施形態によれば、位置規制部１４により、後施工アンカー１０を下穴部３に挿入だけで、拡開部１２の先端部を、拡径部４の先端側の環状段部５近傍に臨ませることができる。この状態で、コーン部１３を打ち込むことで、拡開部１２を拡径部４に確実（精度良く）に喰い込ませることができる。したがって、アンカリングされた後施工アンカー１０に、理論上のクサビ効果を確実に発揮させることができる。
【００５９】
また、拡開部１２を拡径部４内に拡開するため、コーン部１３を円滑に打ち込むことができ、且つ拡開した拡開部１２が拡径部４に圧接することで、打込みの完了を明確に体感することができる。したがって、コーン部１３の打込み不良、すなわち後施工アンカー１０の施工不良を有効に防止することができる。
【００６０】
なお、実施形態における下穴部３の穴底３ｃは、コンクリート用ドリルビットで穿孔されるため円錐形状を有しているが、コアビットで穿孔した場合には、コンクリートコアの一部が穴底３ｃに残り形状が一定しない。しかし、先端部が尖塔形状（円錐突部７４ａ）の拡径用ドリルビット７２で拡径部４を形成すると共に、先端部が尖塔形状（尖塔部４２）の位置規制部１４により、拡開部１２の位置を規制するため、コアビットで穿孔した下穴部３であっても、拡径部４に拡開部１２を精度良く対峙させることができる。
【符号の説明】
【００６１】
１  アンカー穴、２  定着体、３  下穴部、３ａ  開口部、３ｃ  穴底、４  拡径部、１０  後施工アンカー、１１  筒状本体、１２  拡開部、１３  コーン部、１４  位置規制部、２１  環状溝、２２  スリット、２４  嵌合凹部、４２  尖塔部、４３  嵌合凸部、４４  環状当接部、４５  コーン受容部、５１  放射状凸部、５２  放射状当接部、６１  穿孔装置、６２  拡径装置、６３  注入装置、７２  拡径用ドリルビット、７３  切刃部、７４  切刃保持部、７４ａ  円錐突部、Ａ  接着剤
【図１】
2016092675.tif 000003
【図２】
2016092675.tif 000004
【図３】
2016092675.tif 000005
【図４】
2016092675.tif 000006
【図５】
2016092675.tif 000007
【図６】
2016092675.tif 000008
【図７】
2016092675.tif 000009
【図８】
2016092675.tif 000010
【図９】
2016092675.tif 000011
【国際調査報告】
2016092675.tif 000012
2016092675.tif 000013
2016092675.tif 000014
2016092675.tif 000015